(57)【要約】      （修正有）【課題】予めｉＬＩＮＫ録画機器が選択されていないことが原因で予約が失敗することを防止する。【解決手段】ステップＳ４１でＥＰＧ表示処理を開始し、ステップＳ４２でリモコン入力があると、ステップＳ４３で番組開始時刻が規定時間の５分後以降である番組の上にカーソルがあり、かつ、リモコンの「決定」キーが押されたか否かを判定する。押されていなければ（ＮＯ）、ステップＳ４４において、押されたキーは「終了」であるか否かを判定する。ＮＯであれば、ステップＳ４５に進み、押されたキーに対応する処理を行い、ステップＳ４２に戻る。ステップＳ４４においてＹＥＳであれば、ステップＳ４６に進み、ＥＰＧ表示を消去し、処理を終了する。ステップＳ４３でＹＥＳの場合には、ステップＳ４８に進み録画機器は選択済みであるか否かを判定する。ＮＯであれば、ステップＳ４９に進み、録画機器を選択することを促す録画機器選択画面を表示する。【選択図】図１０
2009177421.tif 000002
【特許請求の範囲】
【請求項１】
インターフェイス部を介して録画機器と接続されるデジタル放送受信装置であって、接続されている録画機器を記憶する記憶部と、該記憶部に記憶されている録画機器の中から実際に録画処理を行う録画対象機器を予め選択するための録画対象機器選択手段と、を有するデジタル放送受信装置において、
録画予約登録時に、前記録画対象機器選択手段により予め録画機器が選択されているか否かを、前記記憶部を参照して調べる機器選択状態検出部と、
該機器選択状態検出部による検出の結果、予め選択されている録画機器がない場合には、前記記憶部に記憶されている前記接続されている録画機器の中から録画対象機器の選択を促す録画機器選択画面を表示させる機器選択画面表示制御部と
を有することを特徴とするデジタル放送受信装置。
【請求項２】
ｉＬＩＮＫ接続インターフェイス部を介して録画機器とｉＬＩＮＫ接続されるデジタル放送受信装置であって、接続されている録画機器を記憶する記憶部と、該記憶部に記憶されている録画機器の中から実際に録画処理を行う録画対象機器を予め選択するための録画対象機器選択手段と、を有するデジタル放送受信装置において、
録画予約登録時に、前記録画対象機器選択手段により予め録画機器が選択されているか否かを、前記記憶部を参照して調べる機器選択状態検出部と、
該機器選択状態検出部による検出の結果、予め選択されている録画機器がない場合には、前記記憶部に記憶されている前記接続されている録画機器の中から録画対象機器の選択を促す録画機器選択画面を表示させる機器選択画面表示制御部と
を有することを特徴とするデジタル放送受信装置。
【請求項３】
前記記憶部に記憶されている録画機器のうち、録画対象機器の選択がなされた録画機器に対して、実際に録画処理を行う録画対象機器として選択されていることを前記機器選択状態検出部に認識させるためのフラグを付すことを特徴とする請求項１または２に記載のデジタル放送受信装置。
【請求項４】
機器選択画面表示制御部は、該機器選択状態検出部による検出の結果、予め選択されている録画機器がない場合には、前記記憶部に記憶されている前記接続されている録画機器の中から録画対象機器の選択を促す録画機器選択画面を表示させる代わりに、録画機器選択画面を表示させる操作を促す警告表示を行うことを特徴とする請求項１から３までのいずれか１項に記載のデジタル放送受信装置。
【請求項５】
前記録画機器選択画面に、録画機器に対応する記録部の記憶残量表示を行うことを特徴とする請求項１から３までのいずれか１項に記載のデジタル放送受信装置。
【請求項６】
インターフェイス部を介して録画機器と接続されるデジタル放送受信装置であって、接続されている録画機器を記憶する記憶部と、該記憶部に記憶されている録画機器の中から実際に録画処理を行う録画対象機器を予め選択するための録画対象機器選択手段と、を有するデジタル放送受信装置における録画機器選択方法であって、
録画機器は選択済みであるか否かを判定するステップと、
選択済みでない場合に、前記記憶部から接続されている録画機器を読み出して録画機器を選択することを促す録画機器選択画面を表示させるステップと
を有することを特徴とする録画機器選択方法。
【請求項７】
ｉＬＩＮＫ接続インターフェイス部を介して録画機器とｉＬＩＮＫ接続されるデジタル放送受信装置であって、接続されている録画機器を記憶する記憶部と、該記憶部に記憶されている録画機器の中から実際に録画処理を行う録画対象機器を予め選択するための録画対象機器選択手段と、を有するデジタル放送受信装置における録画機器選択方法であって、
録画機器は選択済みであるか否かを判定するステップと、
選択済みでない場合に、接続されている録画機器を前記記憶部から読み出して録画機器を選択することを促す録画機器選択画面を表示させるステップと
を有することを特徴とする録画機器選択方法。
【請求項８】
前記記憶部に記憶されている録画機器のうち、録画対象機器の選択がなされた録画機器に対して、実際に録画処理を行う録画対象機器として選択されていることを認識させるためのフラグを付すステップを有することを特徴とする請求項６または７に記載の録画機器選択方法。
【請求項９】
前記録画機器選択画面を表示させるステップに代えて、前記判定するステップにおいて予め選択されている録画機器がないと判定された場合には、前記記憶部に記憶されている前記接続されている録画機器の中から録画対象機器の選択を促す録画機器選択画面を表示させる代わりに、録画機器選択画面を表示させる操作を促す警告表示を行うことを特徴とする請求項６から８までのいずれか１項に記載の録画機器選択方法。
【請求項１０】
前記録画機器選択画面に、録画機器に対応する記録部の記憶残量表示を行うステップを有することを特徴とする請求項６から９までのいずれか１項に記載の録画機器選択方法。
【請求項１１】
請求項６から１０までのいずれか１項に記載のステップをコンピュータに実行させるためのプログラム。
【請求項１２】
請求項１１に記載のプログラムを記録するコンピュータ読み取り可能な記録媒体。
【発明の詳細な説明】
【技術分野】
【０００１】
本発明は、デジタル放送受信装置に関し、特に、ＩＥＥＥ１３９４規格等によりデジタル放送受信装置に接続された録画機器の選択技術に関する。
【背景技術】
【０００２】
近年、デジタル放送の普及に伴い、多くのデジタル放送受信装置が使用されるようになってきている。また、デジタル放送受信装置を主体とした機器の接続システムも多く利用されている。例えば、特許文献１では、装置本体との電源と電源を連動させるべき接続機器を登録する接続機器登録管理部と、接続機器登録管理部によって特定された接続機器の電源を制御する接続機器電源制御部と、記録再生装置に対して、常に録画可能な状態を維持させるコマンドを出力する接続機器情報通信部とを有するシステムが開示されている。このようにすることで、録画ミスを防止することができる。また、下記非特許文献１・２には、地上デジタルハイビジョン液晶テレビにおける機器接続に関する記載がある。
【０００３】
図１１は、従来の技術におけるデジタル放送受信装置のＥＰＧからデジタル放送受信装置にi.LINK接続されている録画機器へのi.LINK録画予約に関する処理の一例を示す図である。図１１に示すように、まず、ステップＳ６１において、ＥＰＧ表示中の処理を開始する。ステップＳ６２において、リモコン入力を待ち、リモコン入力があると、ステップＳ６３において、番組開始時刻が例えば規定の時間である５分後以降である番組の上にカーソルがあり、かつ、リモコンの「決定」キーが押されたか否かを判定する。押されていなければ（ＮＯ）、ステップＳ６４において、押されたキーは「終了」であるか否かを判定する。ＮＯであれば、ステップＳ６５に進み、押されたキーに対応する処理を行い、ステップＳ６２に戻る。ステップＳ６４においてＹＥＳであれば、ステップＳ６６に進み、ＥＰＧ表示を消去し、処理を終了する。ステップＳ６３でＹＥＳの場合には、ステップＳ６８に進み、カーソルで選択されていた番組に関するi.LINK録画予約を登録する。次いで、ステップＳ６９において、i.LINK録画予約登録確認画面を表示し、ステップＳ７０においてリモコン入力を待つ。ステップＳ７１で、リモコンで押されたキーは「戻る」であるか否かを判定し、ＹＥＳであればステップＳ７２においてＥＰＧを表示し、ステップＳ６２に戻る。ＮＯであれば、ステップＳ７０に戻る。
【０００４】
【特許文献１】特開２００７−４３６２４号公報
【非特許文献１】品名：地上デジタルハイビジョン液晶テレビ、型番：LC-37AD1、発表日：2003.6.17、リリース記事：http://www.sharp.co.jp/corporate/news/0306.html、技術情報掲載記事：Technical Journal No.20 -通巻88号- （2004年4月）、要旨：http://www.sharp.co.jp/corporate/rd/23/23-4-5a.html、（PDF版：http://www.sharp.co.jp/corporate/rd/23/pdf/88-13.pdf）
【非特許文献２】取扱説明書：http://www.sharp.co.jp/support/aquos/doc/lc37ad1_ope.pdf  液晶カラーテレビLC-37AD1 取扱説明書（操作編）94ページ「BS・110度CSデジタル放送を楽しむ」「電子番組表（EPG）から番組を予約する（つづき）」「録画予約」「i.LINK予約するとき」
【発明の開示】
【発明が解決しようとする課題】
【０００５】
しかしながら、上記に記載の技術を用いても、i.LINK録画予約実行時、あらかじめ選択されている録画機器を用いてi.LINK録画を行うデジタル放送受信装置において、あらかじめ録画機器を選択していない状態で予約登録ができてしまうため、予約実行時までにあらかじめ録画機器を選択しておかないとこれが原因で予約が失敗してしまうという問題がある。
【０００６】
本発明の目的は、予めｉＬＩＮＫ録画機器が選択されていないことが原因で予約が失敗することを防止することである。
【課題を解決するための手段】
【０００７】
本発明の一観点によれば、インターフェイス部を介して録画機器と接続されるデジタル放送受信装置であって、接続されている録画機器を記憶する記憶部と、該記憶部に記憶されている録画機器の中から実際に録画処理を行う録画対象機器を予め選択するための録画対象機器選択手段と、を有するデジタル放送受信装置において、録画予約登録時に、前記録画対象機器選択手段により予め録画機器が選択されているか否かを、前記記憶部を参照して調べる機器選択状態検出部と、該機器選択状態検出部による検出の結果、予め選択されている録画機器がない場合には、前記記憶部に記憶されている前記接続されている録画機器の中から録画対象機器の選択を促す録画機器選択画面を表示させる機器選択画面表示制御部と、を有することを特徴とするデジタル放送受信装置が提供される。
【０００８】
また、ｉＬＩＮＫ接続インターフェイス部を介して録画機器とｉＬＩＮＫ接続されるデジタル放送受信装置であって、接続されている録画機器を記憶する記憶部と、該記憶部に記憶されている録画機器の中から実際に録画処理を行う録画対象機器を予め選択するための録画対象機器選択手段と、を有するデジタル放送受信装置において、録画予約登録時に、前記録画対象機器選択手段により予め録画機器が選択されているか否かを、前記記憶部を参照して調べる機器選択状態検出部と、該機器選択状態検出部による検出の結果、予め選択されている録画機器がない場合には、前記記憶部に記憶されている前記接続されている録画機器の中から録画対象機器の選択を促す録画機器選択画面を表示させる機器選択画面表示制御部と、を有することを特徴とするデジタル放送受信装置が提供される。
【０００９】
前記記憶部に記憶されている録画機器のうち、録画対象機器の選択がなされた録画機器に対して、実際に録画処理を行う録画対象機器として選択されていることを前記機器選択状態検出部に認識させるためのフラグを付す。機器選択画面表示制御部は、該機器選択状態検出部による検出の結果、予め選択されている録画機器がない場合には、前記記憶部に記憶されている接続されている録画機器の中から録画対象機器の選択を促す録画機器選択画面を表示させる代わりに、録画機器選択画面を表示させる操作を促す警告表示を行うようにしても良い。前記録画機器選択画面に、録画機器に対応する記憶残量表示を行うようにしても良い。
【００１０】
本発明の他の観点によれば、インターフェイス部を介して録画機器と接続されるデジタル放送受信装置であって、接続されている録画機器を記憶する記憶部と、該記憶部に記憶されている録画機器の中から実際に録画処理を行う録画対象機器を予め選択するための録画対象機器選択手段と、を有するデジタル放送受信装置における録画機器選択方法であって、録画機器は選択済みであるか否かを判定するステップと、選択済みでない場合に、前記記憶部から接続されている録画機器を読み出して録画機器を選択することを促す録画機器選択画面を表示させるステップと、を有することを特徴とする録画機器選択方法が提供される。本発明は、上記のステップをコンピュータに実行させるためのプログラムであっても良く、そのプログラムを記録するコンピュータ読み取り可能な記録媒体であっても良い。プログラムは、伝送媒体から取得できるようになっていても良い。
【発明の効果】
【００１１】
本発明によれば、i.LINK録画予約実行時に、あらかじめ選択されている録画機器を用いてi.LINK録画を行うデジタル放送受信装置において、i.LINK録画予約登録時、あらかじめ録画機器が選択されていなければ、接続されている機器の中から録画機器をあらかじめ選択させるので、予約実行時には必ず録画機器があらかじめ選択されている状態になり、あらかじめ録画機器が選択されていないことに起因する予約に基づく録画処理等の失敗がなくなる。
【発明を実施するための最良の形態】
【００１２】
以下、本発明の一実施の形態によるデジタル放送受信装置について図面を参照しながら説明を行う。図１は、本実施の形態によるデジタル放送受信装置Ａと、これとi.LINK（ＩＥＥＥ１３９４）接続されたＤＶＤレコーダーＢと、を含むシステム構成例を示す図である。i.LINK（ＩＥＥＥ１３９４）接続された機器は、符号Ｂ’で示されるように、複数の機器が接続されていても良い。デジタル放送受信装置ＡとＤＶＤレコーダーＢとは、ＩＥＥＥ１３９４ケーブルにより入力端子５と出力端子５５とを介して接続されており、双方向に通信が可能である。
【００１３】
図２は、デジタル放送受信装置Ａの一構成例を示す図である。図２に示すように、デジタル放送受信装置Ａは、アンテナ１と、デジタル放送受信部３と、ＩＥＥＥ１３９４インターフェイス部５と、信号処理部７と、デコーダ部１１と、リモコン受光部１５と、スピーカ２１、ディスプレイ２３と、音声信号処理部２５、映像信号処理部２７と、ＲＯＭ１８・ＲＡＭ１９と、バスラインを介して全体を制御する制御部（ＣＰＵ）１７と、を備えている。
【００１４】
図３は、ＤＶＤレコーダーＢの一構成例を示す図である。図３に示すように、ＤＶＤレコーダーＢは、アンテナ４１と、チューナ４３と、ＩＥＥＥ１３９４インターフェイス部５５と、信号処理部４５と、全体を制御する制御部４７と、リモコン受光部５１と、記憶部５３と、電子番組表取得部５７と、光ディスク起動部６３と、操作部６７と、を有している。
【００１５】
図４は、デジタル放送受信装置Ａを操作するためのリモコン装置の一例を示す図である。図４に示すように、リモコン装置Ｃは、操作面７１に設けられている操作ボタン７３と、リモコン信号出射部７５と、方向キー８１及び決定キー７９を有するキー操作部７７と、i.LINKキー８３と、を有している。
【００１６】
以下、上記構成に基づく接続機器選択処理について説明する。図５は、デジタル放送受信装置Ａのディスプレイ２３への表示例を示す図である。まず、デジタル放送受信装置ＡとＤＶＤレコーダーＢとをｉＬＩＮＫ接続すると、相互に通信を行い、デジタル放送受信装置ＡのＲＡＭ１９内に、接続されているｉＬＩＮＫ機器のＩＤ等が記憶される。
【００１７】
図５（Ａ）に示すように、リモコン装置のi.LINKキー８３を押すと、表示画面２３の表示物１０３の上に録画機器選択パネル１０１が表示される。この録画機器選択パネル１０１には、例えば、テレビジョン受信装置Ａに接続されている２つのi.LINK録画機器１０１ａ、１０１ｂの名前等の属性が録画機器選択パネルとしてリスト表示される。ここで、例えば１０１ａの方をリモコン装置で選択すると、図５（Ｂ）に示すように、選択された録画機器の操作パネルがＧＵＩ表示１０５される。このＧＵＩ操作パネル１０５により、電源のオン・オフ（１０７）、再生・停止・巻き戻し・早送り等の操作（１１１）・他の機器の選択などの操作１１３をリモコン装置Ｃのキー操作部７７を用いて行うことができるようになっており便利である。この操作パネル１０５は、例えば自由に拡大縮小等が可能になっていても良く、別の番組を視聴しながら、録画機器の進行状況をタイマなどにより確認することができる。
【００１８】
図６は、本実施の形態による視聴中の処理の流れを示すフローチャート図である。図６に示すように、まず、ステップＳ１において視聴中の処理を開始し、ステップＳ２において、リモコン装置からの入力を待つ。ステップＳ３において、押されたキーはｉＬｉｎｋキー８３であるか否かを判定する。押されたキーがｉＬｉｎｋキーでなければ（ＮＯ）、ステップＳ４に進み、押されたキーに対応する処理を行う。ＹＥＳの場合には、ステップＳ５に進み録画機器は選択済みか否かを判定する。選択されていなければ（ＮＯ）ステップＳ６に進み、録画機器選択パネルを表示させ、ユーザからの録画機器の選択・決定操作を促す。ユーザからの録画機器の選択・決定操作が行われると、デジタル放送受信装置ＡのＲＡＭ１９内に記憶されている、上記の接続されているｉＬＩＮＫ機器のＩＤ等と対応させて、選択・決定が行われた機器であることが例えばフラグなどが付されることにより記憶される。これにより、後の処理において、ｉＬＩＮＫ機器が接続され、かつ、選択されているか否かをいつでも参照することができる。
【００１９】
いずれの場合も、ステップＳ７に進み、選択されている録画機器についての操作パネルを表示させ、ステップＳ８においてリモコン入力を待ち、ステップＳ９において、カーソルが機器選択ボタン１１３上であり、かつ、決定キーが押されたかを判定する。ＹＥＳの場合には、ステップＳ１２に進み操作パネルを表示画面から消去し、ステップＳ６に戻る。ＮＯの場合はステップＳ１０に進み、押されたキーは「終了」か否かを判定する。ＹＥＳの場合にはステップＳ１３に進み、操作パネルを消去し、ステップＳ２に戻る。ＮＯの場合には、ステップＳ１１に進み、押されたキーに対応する処理を行い、ステップＳ８に戻る。以上の処理により、録画機器を選択することができる。
【００２０】
図７は、テレビジョン受信装置のＥＰＧ画面からｉＬＩＮＫ録画予約の登録を行う様子を示す図である。図７（Ａ）に示すように、表示画面２３のＥＰＧ表示１２１において、ある番組にカーソル（フォーカス）１２３を当て、決定ボタンを押すと、図７（Ｂ）に示すように、予約された番組名とｉＬＩＮＫ予約された旨の表示１２７がＬＩＮＫ録画予約確認画面１２５上に表示され、ユーザにその旨を知らせることができる。図８は、このｉＬＩＮＫ録画予約処理の流れを示すフローチャート図である。まず、ステップＳ２１において、処理を開始し、ステップＳ２２において、例えば予約時間開始２分前（処理が機器内部で開始される時間）まで待つ。次いで、ステップＳ２３において、録画機器は、予め選択されているか否かを判定する。ここで、選択がされていない場合には（ＮＯ）、ステップＳ２４に進み処理を終了する。選択されている場合には（ＹＥＳ）、ステップＳ２５に進み、選択されている録画機器の電源がＯＦＦであればＯＮにする。ステップＳ２６において予約番組を選局し、ステップＳ２７において予約番組開始の例えば１０秒前（余裕をみて１０秒などの期間を規定している）まで待ち、ステップＳ２８において、選択されている録画機器に録画コマンドを送る。ステップＳ２９において予約番組の録画終了まで待ち、ステップＳ３０において、選択されている録画番組に録画停止コマンドを送る。ステップＳ３１において、選択されている録画機器の電源をオフにし、ステップＳ３２において処理を終了する。
【００２１】
図１０は、本実施の形態によるデジタル放送受信装置のＥＰＧからデジタル放送受信装置にi.LINK接続されている録画機器へのi.LINK録画予約に関する処理の一例を示す図であり、前述の図１１に対応する図である。図１０に示すように、まず、ステップＳ４１において、ＥＰＧ表示中の処理を開始する。ステップＳ４２においてリモコン入力を待ち、リモコン入力があると、ステップＳ４３において、番組開始時刻が例えば規定の時間である５分後以降である番組の上にカーソルがあり、かつ、リモコンの「決定」キーが押されたか否かを判定する。押されていなければ（ＮＯ）、ステップＳ４４において、押されたキーは「終了」であるか否かを判定する。ＮＯであれば、ステップＳ４５に進み、押されたキーに対応する処理を行い、ステップＳ４２に戻る。ステップＳ４４においてＹＥＳであれば、ステップＳ４６に進み、ＥＰＧ表示を消去し、処理を終了する。ステップＳ４３でＹＥＳの場合には、図１１のケースと異なり、ステップＳ４８に進み録画機器は選択済みであるか否かを判定する。ＮＯであれば、ステップＳ４９に進み、例えば図９（Ａ）に示すように、録画機器を選択することを促す録画機器選択画面（図９では未選択時）を表示する。ここでは、表示画面２３内に録画機器選択画面１３１であって、選択可能な録画機器のリスト１０１ｃ・１０１ｄが自動的に表示され、この画面から録画機器を選択することができる。尚、この場合に、符号１３５ａ・１３５ｂのように、それぞれの録画機器の残っている記憶容量を表示させても良い。これにより、録画予約する番組を選択する際の目安とすることができる。或いは、図９（Ｂ）のように、「機器が選択されておりませんので予約ができません」などの警告表示１３３を表示させてから、図５（Ａ）に示すように、リモコン装置のi.LINK録画機器選択メニュー表示キー８３が押されると、図９（Ａ）のような表示が行われるようにしても良い。この処理を行うことで、機器が選択されていない状況を回避することができる。また、ユーザに対してわかりやすい表示を行うことができる。
【００２２】
ステップＳ４８においてＹＥＳの場合には、ステップＳ５０において、カーソルで選択されていた番組に関するi.LINK録画予約を登録する。次いで、ステップＳ５１において、i.LINK録画予約登録確認画面を表示し、ステップＳ５２においてリモコン入力を待つ。ステップＳ５３で、リモコンで押されたキーは「戻る」であるか否かを判定し、ＹＥＳであればステップＳ５４においてＥＰＧを表示させ、ステップＳ４２に戻る。ＮＯであれば、ステップＳ５２に戻る。
【００２３】
以上に説明したように、i.LINK録画予約実行時に、予め選択されている録画機器を用いてi.LINK録画を行うデジタル放送受信装置において、i.LINK録画予約登録時に、あらかじめ録画機器が選択されていない場合には、接続されている機器の中から録画機器をあらかじめ選択させるように新たな表示を行わせるため、予約を実行する時には必ず録画機器があらかじめ選択されている状態になり、あらかじめ録画機器が選択されていないことに起因する予約失敗が回避できるという利点がある。
【００２４】
尚、上記実施の形態においては、i.LINK録画予約実行を例にして説明したが、その他、機器間の双方向通信により録画予約を行う仕組みを持つ、例えば、ＨＤＭＩ接続機器などにおいても、同様の方法により上記の利点をもたらすことができる。
【産業上の利用可能性】
【００２５】
本発明は、ｉＬＩＮＫ機器に接続可能なデジタル放送受信装置に利用可能である。
【図面の簡単な説明】
【００２６】
【図１】本発明の一実施の形態によるデジタル放送受信装置Ａと、これとi.LINK（ＩＥＥＥ１３９４）接続されたＤＶＤレコーダーＢと、を含むシステム構成例を示す図である。
【図２】デジタル放送受信装置の一構成例を示す図である。
【図３】ＤＶＤレコーダーの一構成例を示す図である。
【図４】デジタル放送受信装置を操作するためのリモコン装置の一例を示す図である。
【図５】デジタル放送受信装置Ａのディスプレイへの表示例を示す図である。
【図６】本実施の形態による視聴中の処理の流れを示すフローチャート図である。
【図７】テレビジョン受信装置のＥＰＧ画面からｉＬＩＮＫ録画を行う様子を示す図である。
【図８】ｉＬＩＮＫ録画予約処理の流れを示すフローチャート図である。
【図９】録画機器を選択することを促す録画機器選択画面等の例である。
【図１０】本実施の形態によるデジタル放送受信装置のＥＰＧからデジタル放送受信装置にi.LINK接続されている録画機器へのi.LINK録画予約に関する処理の一例を示す図であり、図１１に対応する図である。
【図１１】従来の技術におけるデジタル放送受信装置のＥＰＧからデジタル放送受信装置にi.LINK接続されている録画機器へのi.LINK録画予約に関する処理の一例を示す図である。
【符号の説明】
【００２７】
Ａ…デジタル放送受信装置、Ｂ…ＤＶＤレコーダー、５…入力端子、５５…出力端子。
【図１】
2009177421.tif 000003
【図２】
2009177421.tif 000004
【図３】
2009177421.tif 000005
【図４】
2009177421.tif 000006
【図５】
2009177421.tif 000007
【図６】
2009177421.tif 000008
【図７】
2009177421.tif 000009
【図８】
2009177421.tif 000010
【図９】
2009177421.tif 000011
【図１０】
2009177421.tif 000012
【図１１】
2009177421.tif 000013